(57)【要約】【課題】  ユーザの文書の作成作業を支援する文書作成支援装置および文書作成支援方法を得る。【解決手段】  チェック対象となるチェック対象文書の記述内容と文書のチェックの対象となる言語表現が所定の形式で記述されたルールとを照合するルールチェックと、チェック対象となるチェック対象文書の記述内容と所定の形式で記述された背景情報とを照合する背景情報チェックとを実行し、そのチェック結果を出力するチェック実行部と、上記ルールと上記背景情報とを関連付けた関連付け情報に基づいて、上記チェック実行ステップにおける、ルールチェックの実行、背景情報チェックの実行およびチェック結果の出力を制御するチェック実行制御部と、上記チェック実行ステップで出力されたチェック結果を提示するチェック結果提示部とを備える。【選択図】  図１
2007164673.tif 000002
【特許請求の範囲】
【請求項１】
文書のチェックの対象となる言語表現が所定の形式で記述されたルールを記憶したルール記憶部と、
所定の形式で記述された背景情報を記憶した背景情報記憶部と、
上記ルール記憶部に記憶されたルールと上記背景情報記憶部に記憶された背景情報とを関連付けた関連付け情報を記憶した関連付け情報記憶部と、
チェック対象となるチェック対象文書の記述内容と上記ルール記憶部に記憶されたルールとを照合するルールチェックと、チェック対象となるチェック対象文書の記述内容と上記背景情報記憶部に記憶された背景情報とを照合する背景情報チェックとを実行し、そのチェック結果を出力するチェック実行部と、
上記関連付け情報記憶部に記憶された関連付け情報に基づいて、上記チェック実行部に対して、ルールチェックの実行、背景情報チェックの実行およびチェック結果の出力を制御するチェック実行制御部と、
上記チェック実行部から出力されたチェック結果を提示するチェック結果提示部と
を備えたことを特徴とする文書作成支援装置。
【請求項２】
上記チェック実行制御部は、上記チェック実行部に対して、上記関連付け情報記憶部に記憶された関連付け情報に基づいて、チェック結果の出力として、ルールチェックで適合したルールに関連付けられた背景情報を出力するよう制御することを特徴とする請求項１に記載の文書作成支援装置。
【請求項３】
上記チェック実行制御部は、上記チェック実行部に対して、ルールチェックを実行してルールに適合したチェック対象文書の記述内容と適合したルールとを出力し、上記関連付け情報記憶部に記憶された関連付け情報に基づいて、上記ルールチェックでルールに適合したチェック対象文書の記述内容と当該記述内容に適合したルールに関連付けられた背景情報とを照合する背景情報チェックを実行するように制御することを特徴とする請求項１に記載の文書作成支援装置。
【請求項４】
上記チェック実行制御部は、上記チェック実行部に対して、背景情報チェックを実行して背景情報に適合したチェック対象文書の記述内容と適合した背景情報とを出力し、上記関連付け情報記憶部に記憶された関連付け情報に基づいて、上記背景情報チェックで背景情報に適合したチェック対象文書の記述内容と当該記述内容に適合した背景情報に関連付けられたルールとを照合するルールチェックを実行するように制御することを特徴とする請求項１に記載の文書作成支援装置。
【請求項５】
上記チェック実行部は、チェック対象となるチェック対象文書の記述内容と上記背景情報記憶部に記憶された背景情報とを照合し、上記背景情報に適合したチェック対象文書の各記述内容に対して、重要度を示す背景情報チェックスコアを出力するように構成され、
上記チェック実行制御部は、上記チェック実行部に対して、ルールチェックを実行してルールに適合したチェック対象文書の記述内容を出力し、上記ルールチェックでルールに適合したチェック対象文書の記述内容と背景情報とを照合する背景情報チェックを実行し、その背景情報チェックスコアに従って上記ルールチェックでルールに適合したチェック対象文書の記述内容を順位付けして、チェック結果を出力するように制御することを特徴とする請求項１に記載に文書作成支援装置。
【請求項６】
上記チェック実行制御部は、上記チェック実行部に対して、上記ルールチェックの実行結果として、ルールに適合したチェック対象文書の記述内容が所定の閾値以上の個数である場合に、チェック結果として、上記背景情報チェックの背景情報チェックスコアに従って限定して上記ルールに適合したチェック対象文書の記述内容を出力するように制御することを特徴とする請求項５に記載の文書作成支援装置。
【請求項７】
上記チェック実行部は、チェック対象となるチェック対象文書の記述内容と上記背景情報記憶部に記憶された背景情報とを照合し、上記背景情報に適合したチェック対象文書の各記述内容に対して、重要度を示す背景情報チェックスコアを出力するように構成され、
上記チェック実行制御部は、上記チェック実行部に対して、背景情報チェックを実行して背景情報に適合したチェック対象文書の記述内容と背景情報チェックスコアとを出力し、当該出力された背景情報チェックスコアに基づいてチェックの対象を限定して、上記背景情報チェックで背景情報に適合したチェック対象文書の記述内容とルールとを照合するルールチェックを実行するように制御することを特徴とする請求項１に記載に文書作成支援装置。
【請求項８】
上記チェック実行制御部は、上記チェック実行部に対して、ルールチェックと背景情報チェックのいずれか一方を実行した結果、適合したチェック対象文書の記述内容が所定の閾値以下の個数である場合に、チェック結果として、上記ルールチェックでルールに適合したチェック対象文書の記述内容と上記背景情報チェックで背景情報に適合したチェック対象文書の記述内容とを出力するように制御することを特徴とする請求項１に記載に文書作成支援装置。
【請求項９】
上記チェック実行部は、チェック対象となるチェック対象文書の記述内容と上記背景情報記憶部に記憶された背景情報とを照合し、上記背景情報に適合したチェック対象文書の各記述内容に対して、重要度を示す背景情報チェックスコアを出力すると共に、チェック対象となるチェック対象文書の記述内容と上記ルール記憶部に記憶されたルールとを照合し、上記ルールに適合したチェック対象文書の各記述内容に対して、重要度を示すルールチェックスコアを出力するように構成され、
上記チェック実行制御部は、上記チェック実行部に対して、ルールチェックおよび背景情報チェックを実行して得られた背景情報チェックスコアとルールチェックスコアのそれぞれに重みを設定してスコアを算出し、当該算出したスコアに基づいて、上記ルールチェックおよび背景情報チェックで適合したチェック対象文書の記述内容を順位付けして、チェック結果を出力するように制御することを特徴とする請求項１に記載に文書作成支援装置。
【請求項１０】
上記背景情報記憶部に記憶された背景情報から当該背景情報の内容を特徴付ける重要語を抽出する情報抽出部を備え、
上記チェック実行部は、背景情報として上記情報抽出部で背景情報から抽出された重要語を用いて背景情報チェックを実行することを特徴とする請求項１に記載の文書作成支援装置。
【請求項１１】
上記チェック実行部は、ルールチェックを実行する時に、上記背景情報記憶部に記憶された背景情報の内容を特徴付ける重要語と当該重要語に共起する共起語とを示す共起語情報に基づいて、上記ルール記憶部に記憶されたルールが拡張されたルールを用いるように構成されたことを特徴とする請求項１に記載の文書作成装置。
【請求項１２】
チェック対象となるチェック対象文書の記述内容と文書のチェックの対象となる言語表現が所定の形式で記述されたルールとを照合するルールチェックと、チェック対象となるチェック対象文書の記述内容と所定の形式で記述された背景情報とを照合する背景情報チェックとを実行し、そのチェック結果を出力するチェック実行ステップと、
上記ルールと上記背景情報とを関連付けた関連付け情報に基づいて、上記チェック実行ステップにおける、ルールチェックの実行、背景情報チェックの実行およびチェック結果の出力を制御するチェック実行制御ステップと、
上記チェック実行ステップで出力されたチェック結果を提示するチェック結果提示ステップと
を有することを特徴とする文書作成支援方法。
【発明の詳細な説明】
【技術分野】
【０００１】
この発明は、ユーザの文書の作成作業を支援する文書作成支援装置および文書作成支援方法に関するものである。
【背景技術】
【０００２】
製造業における製品の設計、製造、保守といった一連の業務では、数多くの技術文書、設計書、マニュアルなどの文書が作成される。このような文書の記述内容は、製品の品質や性能に関わる重要な情報を誤り無く記載することが求められており、設計段階でのデザインレビューや、製造段階での品質試験、保守段階での過去の障害事例報告書の蓄積・活用やユーザに理解し易いマニュアルの作成など、作成する文書の高品質化や効率化のために様々な試みが製造現場でなされている。
【０００３】
従来から、こうした文書の作成では、文書作成作業の効率化や、分かり易いマニュアルの作成を支援するために、文書構造の定型的な特徴を利用した構文や文体のテンプレートを利用した内容チェックを行なうための技術がある（例えば、特許文献１）。
【０００４】
この特許文献１では、マニュアル用論理構造規定ファイルとマニュアル用レイアウト構造規定ファイルを用いて、マニュアル作成時に、構成要素スタイルチェック機構により、マニュアルの各要素に対応した条件のチェックや、構文、文体のチェックなどを行い、ユーザにとって理解しやすいマニュアルの作成を支援することが開示されている。
【０００５】
【特許文献１】特開平８−１１０９０７号公報（第３頁−６頁、第１図）
【発明の開示】
【発明が解決しようとする課題】
【０００６】
従来の特許文献１に代表される文書内容チェック技術では、作成文書の妥当でない箇所を検出するために、（１）上記特許文献１の従来技術のように、構文や文体に対する制約（条件）などをあらかじめルールとして規定し、そのルールを用いるルールベースの知識工学的手法、（２）全文検索や情報抽出(テキストマイニング)のように出現単語頻度などを用いる情報検索的手法、などが用いられてきた。
【０００７】
（１）は従来のエキスパートシステムなどで用いられてきた方式であるが、構造条件などで確実に検出が行える半面、ルール作成は人手であり、詳細な条件は記述が複雑でルールの作成やメンテナンスが困難で、条件が記述しきれず、検出漏れが生じるという問題があった。さらに、検出漏れを少なくするように、種々の事例に広く適合することを意図して作成された粗いルールを用いると、誤って適合する検出ゴミが過剰に出現し、しかも、ルールの適合／不適合という二値判定であるため、適合として検出された結果に対してさらに順位付けを行なえず、大量の検出結果の中から、目的の検出結果を見出すのが困難であった。
【０００８】
一方、（２）は、ルール作成の手間が削減される反面、抽出や検索の条件の記述能力は低く、一般的には検出ゴミが多くなるという問題点があった。
【０００９】
この発明は上記のような問題点を解決するためになされたもので、文書チェックの検出漏れおよび過剰な検出ごみを抑え、ユーザが効率よく文書の記述内容を確認できるようにし、ユーザの文書の作成作業を支援する文書作成支援装置および文書作成支援方法を得ることを目的とする。
【課題を解決するための手段】
【００１０】
この発明に係る文書作成支援装置は、文書のチェックの対象となる言語表現が所定の形式で記述されたルールを記憶したルール記憶部と、所定の形式で記述された背景情報を記憶した背景情報記憶部と、上記ルール記憶部に記憶されたルールと上記背景情報記憶部に記憶された背景情報とを関連付けた関連付け情報を記憶した関連付け情報記憶部と、チェック対象となるチェック対象文書の記述内容と上記ルール記憶部に記憶されたルールとを照合するルールチェックと、チェック対象となるチェック対象文書の記述内容と上記背景情報記憶部に記憶された背景情報とを照合する背景情報チェックとを実行し、そのチェック結果を出力するチェック実行部と、上記関連付け情報記憶部に記憶された関連付け情報に基づいて、上記チェック実行部に対して、ルールチェックの実行、背景情報チェックの実行およびチェック結果の出力を制御するチェック実行制御部と、上記チェック実行部から出力されたチェック結果を提示するチェック結果提示部とを備えるようにしたものである。
【発明の効果】
【００１１】
この発明によれば、文書のチェックの対象となる言語表現が所定の形式で記述されたルールと、所定の形式で記述された背景情報とを関連付けた関連付け情報に基づいて、ルールチェックの実行、背景情報チェックの実行およびチェック結果の出力を制御することにより、ルールチェック結果に基づく背景情報チェックの実行、背景情報チェック結果に基づくルールチェックの実行、ルールチェック結果に関連付けられた背景情報の閲覧等が実施可能になり、ユーザによって有効な文書作成支援を実現することができる効果がある。
【発明を実施するための最良の形態】
【００１２】
実施の形態１．
図１は、この発明の実施の形態１による文書作成支援装置の構成を示す構成図である。
図１において、ルール記憶部１０１は、チェックの対象となる言語表現が所定の形式で記述されたルールを記憶する。背景情報記憶部１０２は、所定の形式で記述された背景情報を記憶する。ルール・背景情報関連付け部１０３は、上記ルール記憶部１０１に記憶されたルールと上記背景情報記憶部１０２に記憶された背景情報との関連付けを行う。関連付け情報記憶部１０４は、上記ルール記憶部１０１に記憶されたルールと上記背景情報記憶部１０２に記憶された背景情報とを関連付けた関連付け情報を記憶する。ここでは、上記ルール・背景情報関連付け部１０３により関連付けられたルールと背景情報との対応関係を記憶する。情報抽出部１０５は、上記背景情報記憶部１０２に記憶された背景情報から当該背景情報の内容を特徴付ける重要語を抽出し、重要語リストを出力する。
【００１３】
チェック実行制御部１０６は、上記関連付け情報記憶部１０４に記憶された関連付け情報に基づいて、チェック実行部１０７に対して、ルールチェックの実行、背景情報チェックの実行およびチェック結果の出力を制御する。チェック実行部１０７は、チェック対象となるチェック対象文書１０８の記述内容と上記ルール記憶部１０１に記憶されたルールとを照合するルールチェックと、チェック対象となるチェック対象文書１０８の記述内容と上記背景情報記憶部１０２に記憶された背景情報とを照合する背景情報チェックとを実行し、そのチェック結果を出力する。ここでは、ルールチェック実行部１０７１と、背景情報チェック実行部１０７２とで構成され、ルールチェック実行部１０７１は、チェック対象となるチェック対象文書１０８の記述内容と上記ルール記憶部１０１に記憶されたルールとを照合してルールチェックを実行し、上記ルールに適合したチェック対象文書の記述内容と適合したルールとを出力する。また、背景情報チェック実行部１０７２は、チェック対象となるチェック対象文書１０８の記述内容と上記背景情報記憶部１０２に記憶された背景情報とを照合して背景情報チェックを実行し、上記背景情報に適合したチェック対象文書の記述内容と適合した背景情報とを出力する。チェック対象文書１０８は、チェックの対象として、チェック実行部１０７に入力される文書である。チェック結果提示部１０９は、上記チェック実行部１０７から出力されたチェック結果を提示するものであり、チェック対象文書１０８に対するチェック結果を、適合したルール一覧とともに、チェック対象文書の該当する言語表現を提示する。
【００１４】
以下、図２から図１４までを適宜参照しつつ、本実施の形態の処理の概要について説明する。
図２は、本実施の形態の文書作成支援装置の基本処理の流れを示すフロー図である。
まず、図２のステップＳ２０１において、例えば、ルール作成者が、文書のチェックの対象となる言語表現を所定の形式でルールとして記述し、ルール記憶部１０１は、上記記述されたルールを記憶する。図３は、ルールの具体例を示す説明図である。図３では、ルール定義として、例えば、（１）ルールＩＤ、（２）チェック分類、（３）ルール内容文、（４）ルール表現、（５）提示情報、の項目が定義されている。
【００１５】
上記ルールＩＤは、上記の（１）から（５）までの項目群を一つのルール単位として扱った場合の、該ルール単位を一意に識別するための値である。また、上記チェック分類は、図４に示すように、文書に対してチェックする内容を、例えば、記述漏れ、数値の記述誤り、数値以外の記述誤り、類似状況などに分類したものである。図４は、ルール記憶部に記憶されるルールの分類の一例を示す説明図である。また、ルール内容文は、ルールがチェックする内容を自然言語で表現したものである。また、ルール表現は、ルール内容文をチェック対象文書１０８の記述内容と照合させるために、各チェック分類に応じて定義されるルール表現形式に従って記述されたものであり、ルール内容文について言語表現の構文的、意味的内容を記述したものである。また、提示情報は、チェック対象文書をチェックした結果、チェック対象文書にルールに適合した記述内容があった場合に、ユーザへ提示するルール違反の警告や関連情報などを定義する。
【００１６】
本実施の形態では、単語間の意味的な関係種別を格として定義する格フレーム構造の例で説明する。その他の表現形式として、一般的な手法である構文的な係り受け解析の表現形式や、概念依存関係の表現形式などを用いても良い。
図５は、ルール表現で用いる関係種別（格）の一例を示す説明図である。また、図６は、格に格納する意味ラベルと単語との対応の一例を示す説明図である。
本実施の形態では、例えば、図５のルール表現中の「ＰＲＥＤ」「ＯＢＪ」「ＡＴＴ」「ｎｏｔ‐ＭＯＤ」などが格を示す。ここで用いる格は、図５に示すように、各格に、例えば、格の意味、格に格納する意味ラベル、格に付属する言語表現などを定義している。格の意味では、「述語」「属性」「修飾」などのように、チェック対象となる言語表現における意味的な関係種別を分類して定義する。また、意味ラベルは、格に格納されることを許容する単語を指定するためのラベルであり、図６に示すように、意味ラベルと単語との対応を定義する。格に付属する言語表現は、該当する格に付属して用いられる、「を」「は」「が」「の」などの助詞や、「による」「の場合」といった複合語などを定義する。以上述べた格の定義も、ルール記憶部１０１に記憶する。
【００１７】
次に、ステップＳ２０２において、背景情報記憶部１０２は、所定の形式で記述された背景情報を記憶する。例えば、チェック対象文書１０８の内容に関連する情報が記載された過去の蓄積文書を、ルール作成者が所定の形式で背景知識として記述し、背景情報記憶部１０２に記憶させる。図７は、背景情報記憶部に記憶される背景情報（不具合事例）の一例を示す説明図である。図８は、チェック対象文書の一例を示す説明図である。例えば、図７に示すように、背景情報記憶部１０２は、ある製品の不具合事例の記録文書を、背景情報として記憶する。また、チェック対象文書の内容によっては、顧客からの問合せ記録や、よく聞かれる質問回答集の文書であっても良い。なお、背景情報が言語表現で記録されていれば、所定の形式として、テキストを格納したファイルやデータベースに格納されたデータであっても構わない。
【００１８】
次に、ステップＳ２０３において、ルール・背景情報関連付け部１０３は、ルール記憶部１０１に記憶されたルールの内容に関連する背景知識を背景情報記憶部１０２から抽出して、ルール記憶部１０１に記憶された各ルールと、背景情報記憶部１０２に記憶された背景情報との関連付けを行ない、関連付け情報を出力する。
【００１９】
関連付けの方法としては、例えば、人手で対応関係を定義しても良いし、システムが自動で対応関係を判定しても良い。対応関係を自動で判定する場合は、例えば、ルール定義のルール内容文に存在する単語が、背景情報中に出現する頻度を集計し、頻度が所定の閾値よりも高い場合に、ルールに関連する背景情報と判定する。あるいは、ルール内容文を入力文として、一般的に使用される単語ベクトル空間モデルに基づく概念検索により、入力文と各背景情報との類似度を算出して、類似度が高い順に上位の検索結果を、ルールに関連する背景情報としても良い。図９は、関連付け情報の一例を示す説明図である。ルール・背景情報関連付け部１０３は、上記のようにルールと背景情報とを関連付け、例えば、図９のような対応表形式の関連付け情報を出力する。
【００２０】
また、ステップＳ２０４において、関連付け情報記憶部１０４は、上記ルール・背景情報関連付け部１０３により関連付けられ、出力された関連付け情報を記憶する。
【００２１】
次に、ステップＳ２０５においては、情報抽出部１０５は、背景情報記憶部１０２に記憶された各背景情報を解析して、文書中に出現する単語の中から、背景情報の内容を特徴付ける重要度の高い単語を重要語として抽出し、重要語リストを出力する。図１０は、重要語リストの一例を示す説明図である。各重要語には、一意に識別する番号、重要語の見出しと品詞、及び、重要度の高い文書ＩＤ（背景情報）などが対応付けられて出力される。
【００２２】
重要語の抽出処理では、例えば、背景情報のテキストを単語に分割し、各テキストに出現する単語の頻度統計により重要度を算出し、重要度の高い単語を抽出する。単純な頻度を重要度として採用し、頻度の大きい頻出語を重要語であるとして抽出する。例えばまた、重要度は上記に限定されるものではなく、すべてのテキストに出現する一般語は重要ではないとする、ＩＤＦ（Ｉｎｖｅｒｔｅｄ Ｄｏｃｕｍｅｎｔ Ｆｒｅｑｕｅｎｃｙ）重みを用いて重要語を抽出してもよい。また、背景情報に、背景情報の分類項目、日付、人等の属性が付与されている場合に、背景情報に付与された特定の属性に着目し、その属性値と各単語との共起確率を求め、属性値の頻度分布に対して偏りの大きい語を重要であるとする特徴度を用いてもよい。
【００２３】
次に、ステップＳ２０６において、チェック実行制御部１０６は、関連付け情報記憶部１０４に記憶された関連付け情報に基づいて、チェック実行部１０７に対して、ルールチェックの実行、背景情報チェックの実行およびチェック結果の出力を制御する。例えば、チェック実行制御部１０６は、ユーザの指定に基づいてルールチェックの実行、又は背景情報チェックの実行のいずれを実行するかを示す実行指令をチェック実行部１０７に出す。
【００２４】
チェック実行部１０７は、ルールチェック実行部１０７１と背景情報チェック実行部１０７２とで構成され、チェック実行制御部１０６の実行指令に従って、ルールチェック実行部１０７１でルールチェックの実行、または、背景情報チェック実行部１０７２で背景情報のチェックを行なう。あるいは、ルールチェックの実行の次に、背景情報チェックをユーザの指定によらずに自動的に行ない、両者の結果と関連付け情報とを用いて、チェックに適合したチェック対象文書の記述内容の出力件数をより絞り込むようにチェックを行なうこともできる。あるいはまた、背景情報チェックの実行の次に、ルールチェック実行をユーザの指定によらずに自動的に行ない、両者の結果を用いて、より関連性のある背景情報集合を対象にして、ルールチェックを行なうようにすることもできる。
以下、ルールチェックの実行および背景情報チェックの二つのチェックの処理を説明する。
【００２５】
まず、ステップＳ２０７において、ルールチェック実行部１０７１は、チェック対象となるチェック対象文書の記述内容と上記ルール記憶部１０１に記憶されたルールとを照合し、その照合結果を出力する。例えば、ルールチェック実行部１０７１は、チェック対象文書１０８を構文解析し、チェック分類ごとに、当該構文解析したチェック対象文書１０８の記載内容とルール記憶部１０に記憶されたルールのルール表現とを比較することによって照合する。そして、その照合結果として、例えば、ルールに適合したチェック対象文書１０８の記述内容と、適合したルール（ルールＩＤ等）を出力する。
【００２６】
図１１は、チェック実行部におけるルールチェック部の出力の一例を示す説明図である。図１１の「（１）出力例」は、ルールチェック実行部１０７１の出力例を示す。
ルールチェック実行部１０７１は、出力項目として、例えば、入力文書ＩＤ、チェック分類、チェック対象文、ヒットしたルールＩＤ、ルール表現、抽出ルール表現、の情報を出力する。
【００２７】
入力文書ＩＤは、チェック対象文書を一意に識別するための番号である。チェック分類は、照合の結果、適合したルールのチェック分類であり、また、チェック対象文に対して、ＩＤ  ＝  ｒ−００２１３のルールが適合したことを示している。このルールＩＤのルール表現を用いてチェック対象文から抽出した情報が、抽出ルール表現で出力されている。抽出ルール表現中の格「ｎｏｔ−ＭＯＤ」では、「ＮＯＴ＿ＦＯＵＮＤ」というラベルがセットされているが、これは、「温度」という単語が見つからなかったことを意味しており、このルールの格「ｎｏｔ−ＭＯＤ」として成立していることを表している。
【００２８】
図１１の「（２）入力文書（ＩＤ＝ＩＮＰＵＴ−００２９２）のチェック例」は、上記のようにして、実際にチェック対象文書１０８として、入力文書（ＩＤ＝ＩＮＰＵＴ−００２９２）をチェックし、照合結果として出力されたチェック対象文書の記載内容の一例を示す。
この例では、入力文書のテキストを文単位に解析して、文書中の各単語と、（１）のルールＩＤのルールを照合した結果、「Ａ」の箇所の記述内容、及び、「Ｂ」の箇所の記述内容が、照合したルールに適合していることが分かる。なお、（１）の出力例は、「Ａ」の箇所の記述内容に関する出力例を示してある。
【００２９】
次に、ステップＳ２０８において、背景情報チェック実行部１０７２は、チェック対象となるチェック対象文書の記述内容と上記背景情報記憶部１０２に記憶された背景情報とを照合し、その照合結果を出力する。
【００３０】
例えば、背景情報チェック実行部１０７２は、ルールチェック実行部１０７１からの出力情報であるチェック対象文書の記述内容を解析して単語を抽出し、当該抽出した単語と背景情報記憶部１０２に記憶された背景情報より抽出された重要語リストと照合する。適合する単語があった場合、適合した記述内容（単語）を出力すると共に、重要語リストにおいて、適合した単語に対応付けられている文書ＩＤ（背景情報）を取得して、チェック対象文中の単語に関連付ける。また、背景情報の重要語に適合したチェック対象文書１０８の記述内容と、適合した文書ＩＤ（背景情報）を出力する。また、重要語リスト中の単語と合致したチェック対象文書の記述内容の単語数を所定の範囲単位でカウントして背景情報チェックスコアとして出力する。
【００３１】
図１２は、背景情報チェック実行部の出力の一例を示す説明図である。図１２の「（１）背景情報チェック実行部の出力例」は、背景情報チェック実行部１０７２の出力例を示す。図１２の「（２）入力文書（ＩＤ＝ＩＮＰＵＴ−００２９２）のチェック例」は、上記のようにして、実際にチェック対象文書１０８として、入力文書（ＩＤ＝ＩＮＰＵＴ−００２９２）をチェックし、照合結果として出力されたチェック対象文書の記載内容の一例を示す。このように、重要語が合致した箇所を特定することができる。
【００３２】
なお、本実施の形態では、所定の範囲単位で重要語リスト中の単語と合致した単語数を背景情報チェックスコアとしているが、重要語の重みベクトルで表された背景情報文書の文書ベクトルと、背景情報チェック範囲の文章（所定の範囲単位）に対する文書ベクトルとの類似度を背景情報チェックスコアとして用いてもよい。
【００３３】
チェック実行部１０７は、前記のようにして得られたルールチェック実行結果と、背景情報チェック実行結果とを用いて、関連付け情報記憶部１０４に記憶された関連付け情報に基づいて、例えば、以下のような結果統合処理を行なって、チェック結果を出力する。
【００３４】
図１３は、チェック実行部のチェック結果の一例を示す説明図である。
例えば、ルールチェック実行結果で、いずれの抽出候補を優先して出力するかあいまい性が残っていた図１１の「Ａ」「Ｂ」の箇所の記述内容に対して、背景情報チェック実行結果を参照し、重要語が含まれる頻度をあいまい性の解消に利用する。図１３では、抽出候補１が「Ａ」、抽出候補２が「Ｂ」に対応し、「背景情報チェック単語（頻度）」の各頻度を合計して、抽出候補１に「背景情報チェックスコア」に５を与えている。抽出候補２の場合は、「背景情報チェックスコア」が１であるため、抽出候補１を優先的に出力することができる。
また、例えば、関連付け情報記憶部１０４に記憶された関連付け情報に基づいて、チェック結果の出力として、ルールチェックで適合したルールに関連付けられた背景情報を出力することで、ユーザは、適合したルールに関連する背景情報の文書ＩＤを、「関連情報候補」より参照することができるようにする。
【００３５】
また、チェック実行制御部１０６が、関連付け情報記憶部１０４に記憶された関連付け情報に基づいて、チェック実行部１０７に対して、ルールチェックの実行、背景情報チェックの実行およびチェック結果の出力を制御することにより、例えば、以下のようなチェックおよびチェック結果の出力を行なうようにすることができる。
【００３６】
例えば、背景情報チェック実行部１０７２を、チェック対象となるチェック対象文書の記述内容と背景情報記憶部１０２に記憶された背景情報とを照合し、上記背景情報に適合したチェック対象文書の各記述内容に対して、重要度を示す背景情報チェックスコアを出力するように構成し、ルールチェックを実行してルールに適合したチェック対象文書の記述内容を出力し、上記ルールチェックでルールに適合したチェック対象文書の記述内容と背景情報とを照合する背景情報チェックを実行し、その背景情報チェックスコアに従って上記ルールチェックでルールに適合したチェック対象文書の記述内容を順位付けして、チェック結果を出力する。これにより、より適切な内容のチェック結果を上位の順位に集めるようにできる。また、背景情報チェックを実行するときに、ルールチェックで適合したルールに関連付けられた背景情報を用いて背景情報チェックを実行するようにしても良い。これによりルールチェックのルールと関連のある背景情報を用いた背景情報チェックを実施することができるうえ、その結果に基づいて順位付けすることができる。
【００３７】
また例えば、まず、背景情報チェック実行部１０７２で背景情報チェックを実行し、背景情報に適合したチェック対象文書の記述内容と背景情報チェックスコアとを出力し、当該出力された背景情報チェックスコアに基づいてチェックの対象を限定して、上記背景情報チェックで背景情報に適合したチェック対象文書の記述内容とルールとを照合するルールチェックを実行する。例えば、背景情報チェックスコアが閾値以上のチェック結果に対してのみ、ルールチェックを実行する。これにより、計算コストの高いルールチェックの対象を限定して効率的にチェックを行なうことができるようになる。また、ルールチェックを実行するときに、背景情報チェックで適合した背景情報に関連付けられたルールを用いてルールチェックを実行するようにしても良い。これにより背景情報チェックの背景情報と関連のあるルールを用いたルールチェックを実施することがうえ、その結果に基づいてルールチェックの対象を限定して効率的にチェックを行なうことができる。
【００３８】
また、ルールの作成時にはルール作成者の主観等により、抽出したい言語表現を完全に記述することは難しい。厳密に記述すると類似表現の網羅性が悪くなり検出漏れが多くなる一方、緩い記述だと関係のない言語表現とも照合してしまう可能性が高くなる。そこで、例えば、ルールチェックの実行結果として、ルールに適合したチェック対象文書の記述内容が所定の閾値以上の個数である場合に、チェック結果として、上記背景情報チェックの背景情報チェックスコアに従って限定して上記ルールに適合したチェック対象文書の記述内容を出力する。このように、ルールチェックの結果、出力された記述内容の個数（箇所）が閾値以上の個数の場合、検索ゴミが多く含まれるため、背景情報チェックを実施する。これにより、チェックルールと関連のある背景情報を用いた背景情報チェックスコアによる絞り込みを行ない、検索ゴミを減らすことができるようになる。また、背景情報チェックを実行するときに、ルールチェックで適合したルールに関連付けられた背景情報を用いて背景情報チェックを実行するようにしても良い。これによりルールチェックのルールと関連のある背景情報を用いた背景情報チェックを実施することができるうえ、その結果に基づいて限定することができる。
【００３９】
一方、ルールチェックの結果が閾値以下の個数の場合、記述が厳密でチェック漏れとなっている箇所が多いと考えられる。そこで、ルールチェックと背景情報チェックのいずれか一方を実行した結果、適合したチェック対象文書の記述内容が所定の閾値以下の個数である場合に、チェック結果として、上記ルールチェックでルールに適合したチェック対象文書の記述内容と上記背景情報チェックで背景情報に適合したチェック対象文書の記述内容とを出力する。例えば、ルールチェックの結果が閾値以下の個数の場合、ルールに関連した背景情報を用いて背景情報チェックを起動する。情報検索的な背景情報チェックによって検索可能な範囲を広げ、チェック漏れを減らす。また、背景情報チェックを実行するときに、ルールチェックで適合したルールに関連付けられた背景情報を用いて背景情報チェックを実行するようにしても良い。これによりルールチェックのルールと関連のある背景情報を用いた背景情報チェックを実施することができるうえ、その結果に基づいてチェック漏れを減らすことができる。
【００４０】
また例えば、背景情報チェック実行部１０７２を、チェック対象となるチェック対象文書の記述内容と背景情報記憶部１０２に記憶された背景情報とを照合し、上記背景情報に適合したチェック対象文書の各記述内容に対して、重要度を示す背景情報チェックスコアを出力するように構成し、ルールチェック実行部１０７１を、チェック対象となるチェック対象文書の記述内容とルール記憶部１０１に記憶されたルールとを照合し、上記ルールに適合したチェック対象文書の各記述内容に対して、重要度を示すルールチェックスコアを出力するように構成する。そして、ルールチェックおよび背景情報チェックを実行して得られた背景情報チェックスコアとルールチェックスコアのそれぞれに重みを設定してスコアを算出し、算出したスコアに基づいて、上記ルールチェックおよび背景情報チェックで適合したチェック対象文書の記述内容を順位付けして、チェック結果を出力する。このように、ルールチェック結果と背景情報チェック結果のそれぞれに対して、重みを設定することにより、一方のより良いチェック結果の内容を優先付けることができる。例えば、ルールの精度が高く、背景情報チェックによる絞込みなどがあまり必要でない場合には、前者のスコアの重みを高くし、後者のスコアの重みを低くすることで、ルールチェックの寄与度を上げて背景情報チェックの寄与度を下げることができる。一方、ルールの精度が悪い場合には、背景情報チェックスコアの重み高くして、背景情報チェックの寄与度上げることができる。また、背景情報チェック又はルールチェックを実行するときに、関連付け情報に基づいて、それぞれ照合する背景情報、ルールを限定してもよい。これにより、ルールに関連のある背景情報を用いた背景情報チェック又は背景情報に関連のあるルールを用いたルールチェックを実行することができる。
【００４１】
また例えば、チェック結果について、ルールチェックで適合したルールに対応付けられた背景情報を全て提示するのではなく、背景情報チェックで適合した重要語を含む背景情報のみを提示することで、より適切な背景情報を提示することができる。例えば、図９においてルールID r-0213の関連文書にi-55555があるが、背景情報チェック結果である図１２の（１）においてi-55555は、「●●カバー」などのいずれの背景情報チェック単語とも関連のない文書であるため、図１３の抽出候補１の関連情報候補にはi-55555は含まれなくなる。
【００４２】
最後に、ステップＳ２０９においては、チェック結果提示部１０９が、チェック対象文書１０８に対するチェック結果を提示する。図１４は、入力文書（ＩＤ＝ＩＮＰＵＴ−００２９２）をチェックした場合のチェック結果提示部の出力の一例を示す説明図である。提示の方法の一例としては、適合したチェック分類のルール一覧とともに、チェック対象文書中の該当する記述内容を関連付けて、視覚化して提示する。左の欄は、チェック結果一覧を表示し、右の欄には、該当箇所のテキストを表示する。チェック結果一覧には、各チェック内容のリストが表示され、クリックすることにより、右の欄に該当箇所のテキストを表示させるようにする。また、チェック対象文の情報を利用して、実際にチェックされた箇所の記述内容を例えばハイライト表示にし、視認性を向上させることもできる。
【００４３】
さらには、チェック結果提示部１０９において、チェック対象文書とともに、ルールに関連付けられた背景情報を提示するようにもできる。これより、チェック対象文書中でチェックされた箇所に関連する背景情報も同時に参照することができるようになる。
【００４４】
以上のように、本実施の形態によれば、文書のチェックの対象となる言語表現が所定の形式で記述されたルールと、所定の形式で記述された背景情報とを関連付けた関連付け情報に基づいて、チェック実行部に対して、ルールチェックの実行、背景情報チェックの実行およびチェック結果の出力を制御することにより、ルールチェック結果に基づく背景情報チェックの実行、背景情報チェック結果に基づくルールチェックの実行、ルールチェック結果に関連付けられた背景情報の閲覧等が実施可能になり、ユーザによって有効な文書作成支援を実現することができる。
【００４５】
また、本実施の形態によれば、関連付け情報に基づいて、チェック結果の出力として、ルールチェックで適合したルールに関連付けられた背景情報を出力することにより、ユーザは、ルールに関連する背景情報の閲覧が可能になり、ユーザによって有効な文書作成支援を実現することができる。例えば、ユーザは、ルールチェックのチェック結果として、あらかじめ定められた構文や文体に関する一般的なルールだけでなく、そのルールに関する詳細説明や、そのルールに違反した場合に生じる不具合事例など、ルールに関連付けられた背景情報を閲覧することが可能となる。
【００４６】
また、本実施の形態によれば、ルールチェックでルールに適合したチェック対象文書の記述内容と上記関連付け情報記憶部に記憶された関連付け情報に基づいて、上記ルールチェックでルールに適合したチェック対象文書の記述内容と当該記述内容に適合したルールに関連付けられた背景情報とを照合する背景情報チェックを実行することにより、ルールチェックのルールと関連のある背景情報を用いた背景情報チェックを実施することができ、ユーザにとってより有効な文書作成支援を実現することができる。
【００４７】
また、本実施の形態によれば、上記背景情報チェックで背景情報に適合したチェック対象文書の記述内容と上記関連付け情報記憶部に記憶された関連付け情報に基づいて、上記背景情報チェックで背景情報に適合したチェック対象文書の記述内容と当該記述内容に適合した背景情報に関連付けられたルールとを照合するルールチェックを実行することにより、背景情報チェックのルールと関連のあるルールを用いたルールチェックを実施することができ、ユーザにとってより有効な文書作成支援を実現することができる。
【００４８】
また、本実施の形態によれば、ルールチェックでルールに適合したチェック対象文書の記述内容と背景情報とを照合する背景情報チェックを実行し、その背景情報チェックスコアに従って上記ルールチェックでルールに適合したチェック対象文書の記述内容を順位付けして、チェック結果を出力することにより、より適切な内容のチェック結果を上位の順位に集めるようにでき、ユーザにとってより有効な文書作成支援を実現することができる。例えば、あらかじめ定められた構文や文体に関する一般的なルールだけでなく、そのルールに関する詳細説明や、そのルールに違反した場合に生じる不具合事例など、ルールに関連付けられた背景情報をチェック結果の順位付けに利用することで、従来のルールベースのみの手法で課題となっていた検索漏れを少なくし、また、検索結果に対して背景情報に基づいた適切な順位付けができるようになり、ユーザは、目的の検出結果を見出すのが容易になる。
【００４９】
また、本実施の形態によれば、ルールに適合したチェック対象文書の記述内容が所定の閾値以上の個数である場合に、チェック結果として、上記背景情報チェックの背景情報チェックスコアに従って限定して上記ルールに適合したチェック対象文書の記述内容を出力するように制御することにより、チェックルールと関連のある背景情報を用いた背景情報チェックスコアによる絞り込みを行ない、検索ゴミを減らすことができるようになり、ユーザにとってより有効な文書作成支援を実現することができる。
【００５０】
また、本実施の形態によれば、背景情報チェックスコアに基づいてチェックの対象を限定して、上記背景情報チェックで背景情報に適合したチェック対象文書の記述内容とルールとを照合するルールチェックを実行することにより、計算コストの高いルールチェックの対象を限定して効率的にチェックを行なうことができるようになる。
【００５１】
また、本実施の形態によれば、ルールチェックと背景情報チェックのいずれか一方を実行した結果、適合したチェック対象文書の記述内容が所定の閾値以下の個数である場合に、チェック結果として、上記ルールチェックでルールに適合したチェック対象文書の記述内容と上記背景情報チェックで背景情報に適合したチェック対象文書の記述内容とを出力することにより、ユーザが閲覧可能な範囲を広げ、チェック漏れを減らすことができ、ユーザにとってより有効な文書作成支援を実現することができる。
【００５２】
また、本実施の形態によれば、ルールチェックおよび背景情報チェックを実行して得られた背景情報チェックスコアとルールチェックスコアのそれぞれに重みを設定してスコアを算出し、当該算出したスコアに基づいて、上記ルールチェックおよび背景情報チェックで適合したチェック対象文書の記述内容を順位付けして、チェック結果を出力することにより、一方のより良いチェック結果の内容を優先付けることができる。
【００５３】
また、本実施の形態によれば、背景情報チェックとルールチェックを併用することで、情報検索的手法の課題であった検索ゴミを抑えることができ、検出精度をさらに向上させることができるようになる。
【００５４】
また、本実施の形態によれば、ユーザが、ルールチェックと背景情報チェックとを、検出結果の総数や精度を見ながら、試行錯誤的に検出方法を組み合わせて、自由なチェックを容易に試行できるため、妥当な内容の文書の作成を効果的に支援することができるようになる。
【００５５】
なお、本実施の形態において、ルール記憶部１０１、背景情報記憶部１０２、関連付け情報記憶部１０４は、それぞれルール、背景情報、関連付け情報を記憶する場合について説明したが、既に、上記ルール、背景情報、関連付け情報が記憶されたルール記憶部、背景情報記憶部、関連付け情報記憶部を用いるようにしても良い。既に関連付け情報が記憶された関連付け情報記憶部を用いる場合、ルール・背景情報関連付け部１０３は用いなくても良い。
【００５６】
実施の形態２．
以上の実施の形態１では、ルール記憶部１０１のルールが持つ単語をそのまま照合するようにしたものであるが、次に、ルールチェックのチェック漏れが多いような場合に、ルールが持つ単語を拡張して、チェック漏れを減少させる実施の形態２を示す。
【００５７】
図１５は、この発明の実施の形態２による文書作成支援装置の構成を示す構成図である。図１５において、前述の図と同一又は相当部分に同一符号を付し、説明を省略する。
ただし、図１５において、ルールチェック実行部１０７１は、ルールチェックを実行する時に、背景情報記憶部１０２に記憶された背景情報の内容を特徴付ける重要語と当該重要語に共起する共起語とを示す共起語情報に基づいて、ルール記憶部１０１に記憶されたルールが拡張されたルールを用いるように構成されている。
【００５８】
また、情報抽出部１０５は、背景情報記憶部１０２に記憶された背景情報から当該背景情報の内容を特徴付ける重要語を抽出し、当該抽出された重要語とその重要語に共起する共起語とを示す共起語情報を出力するように構成されている。
また、共起語拡張部１１０は、上記情報抽出部１０５から出力された共起語情報に基づいて、ルール記憶部１０１に記憶されたルールを拡張して出力する。
【００５９】
以下、図１６から図１８までを適宜参照しつつ、本実施の形態の共起語によるルールの拡張処理の概要について説明する。
図１６は、本実施の形態における共起語拡張の処理の流れを示すフロー図である。
【００６０】
まず、図１６のステップＳ１６０１において、情報抽出部１０５は、背景情報記憶部１０２に記憶された背景情報から当該背景情報の内容を特徴付ける重要語を抽出し、当該抽出された重要語とその重要語に共起する共起語とを示す共起語情報を出力する。例えば、背景情報から抽出した重要語から一定範囲内に存在する（共起する）単語を選択して出現頻度を集計し、出現頻度が閾値以上の単語を共起語として抽出する。このとき、一定の範囲は任意に設定可能であり、所定の文字数以内、一文内、段落内、節・章などの文書構造内など、種々の範囲を共起の範囲とすることもできる。あるいはまた、人手により定義した単語を共起語情報としても良い。
【００６１】
図１７は、共起語情報の一例を示す説明図である。図中では、「温度」の共起語として、「高温」「冷却」「熱」などが得られ、また、「●●カバー」の共起語として、「Ａスイッチ」などが得られていることを示している。情報抽出部１０５は、このようにして得られた共起語情報を出力する。
【００６２】
次に、ステップＳ１６０２において、共起語拡張部１１０は、上記情報抽出部１０５から出力された共起語情報に基づいて、ルール記憶部１０１に記憶されたルールを拡張して出力する。例えば、ルール記憶部１０１に記憶されたルールの言語表現に、共起語を付加して拡張し、新しいルールＩＤを付与して拡張ルールを出力する。
【００６３】
図１８は、共起語で拡張されたルールの一例を示す説明図である。図中、ルール表現中に定義してある単語「●●カバー」に加え、共起語の「Ａスイッチ」が付加され、また、「温度」に加えて、「高温」が付加されている。
【００６４】
このようにして得られた拡張ルールを、ルールチェック実行部１０７１で用いることにより、拡張前に比較して、よりチェック漏れの少ないチェック結果が得られるようになる。
【００６５】
以上のように、本実施の形態によれば、ルールチェックを実行する時に、背景情報記憶部１０２に記憶された背景情報の内容を特徴付ける重要語と当該重要語に共起する共起語とを示す共起語情報に基づいて、ルール記憶部１０１に記憶されたルールが拡張されたルールを用いることにより、拡張前に比較して、よりチェック漏れの少ないチェック結果が得られるようになり、ユーザによってより有効な文書作成支援を実現することができる。
【００６６】
なお、本実施の形態において、ルール記憶部１０１、情報抽出部１０５、共起語拡張部１１０を備えた場合について説明したが、背景情報記憶部１０２に記憶された背景情報の内容を特徴付ける重要語と当該重要語に共起する共起語とを示す共起語情報に基づいて、上記ルール記憶部１０１に記憶されたルールが拡張されたルールを、ルール記憶部１０１に記憶させる又は図示しない記憶部に記憶させて、ルールチェックを実行するように構成しても良い。この場合、情報抽出部１０５、共起語拡張部１１０および拡張されたルールを記憶していないルール記憶部１０１は用いなくても良い。
【００６７】
上記述べた実施の形態において、上記の全ての機能あるいは一部の機能は、パーソナルコンピュータ等のソフトウエアとしてプログラム実行したり、ＣＰＵ等の組み込みソフトウエアやファームウエアとしてプログラム実行することで達成できるものである。また、同様の動作をする回路、例えばＬＳＩ（Large Scale IC）、ＦＰＧＡ（Field Programmable Gate Array）、論理IC等の集積回路で実現しても良いし、あるいはディスクリート素子を組み合わせて実現しても良い。
【００６８】
また、上記のソフトウエア等は、例えばＲＯＭ、磁気ディスク（ハードディスクやリムーバブルディスク等）、不揮発性半導体メモリ等の記憶手段に予め保持しておいたものであってもよいし、例えば、インターネット、ＬＡＮ、赤外線通信、Bluetooth、携帯電話のパケット通信等の有線・無線通信手段を用いてサーバコンピュータ上の記憶手段からダウンロードしたり、例えば、ＣＤ−ＲＯＭ、ＣＤ−Ｒ、ＤＶＤ、ＭＯディスク、磁気ディスク(ハードディスクやリムーバブルディスク等)、不揮発性の半導体メモリ、磁気テープ等の記憶媒体や、バーコード等が印刷されたカード等の印刷媒体より配布・提供されるものであってもよい。この場合、記憶媒体等から読み出された上記ソフトウエアのプログラムコードが、上記実施の形態の機能を実現することとなり、これら記憶媒体等はこの発明を構成するものとなる。
【００６９】
上記実施の形態においては、各部を同一の計算機上で構成する場合について説明したが、この発明はこれに限定されるものではなく、例えば、ネットワーク上に分散した計算機や処理装置などに分かれて各部を構成してもよい。
【００７０】
また、この発明は、１つ以上の複数の機器から構成されるシステムに適用しても良い。サーバコンピュータがこの発明の実施の形態を実現するプログラム等をネットワーク等の通信手段を用いて配信し、複数のクライアントコンピュータや、携帯電話、ＰＤＡ等の携帯端末機器が配信されたプログラムを実行することができる。
【図面の簡単な説明】
【００７１】
【図１】実施の形態１における文書作成支援装置の構成を示すブロック図である。
【図２】実施の形態１における文書作成支援装置の処理を示すフロー図である。
【図３】ルールの一例を示す説明図である。
【図４】ルールの分類の一例を示す説明図である。
【図５】ルール表現で用いる関係種別(格)の一例を示す説明図である。
【図６】格に格納する意味ラベルと単語との対応の一例を示す説明図である。
【図７】背景情報（不具合事例）の一例を示す説明図である。
【図８】チェック対象文書の一例を示す説明図である。
【図９】関連付け情報の一例を示す説明図である。
【図１０】重要語リストの一例を示す説明図である。
【図１１】ルールチェック部の出力の一例を示す説明図である。
【図１２】背景情報チェック実行部の出力の一例を示す説明図である。
【図１３】チェック実行部の出力例
【図１４】チェック実行部のチェック結果の一例を示す説明図である。
【図１５】実施の形態２における文書作成支援装置の構成を示すブロック図である。
【図１６】実施の形態２における共起語拡張の処理の流れを示すフロー図である。
【図１７】共起語情報の一例を示す説明図である。
【図１８】共起語で拡張されたルールの一例を示す説明図である。
【符号の説明】
【００７２】
１０１  ルール記憶部、１０２  背景情報記憶部、１０３  ルール・背景情報関連付け部、１０４  関連付け情報記憶部、１０５  情報抽出部、１０６  チェック実行制御部、１０７  チェック実行部、１０８  チェック対象文書、１０９  チェック結果提示部、１０７１  ルールチェック実行部、１０７２  背景情報チェック実行部、１１０  共起語拡張部。
【図１】
2007164673.tif 000003
【図２】
2007164673.tif 000004
【図３】
2007164673.tif 000005
【図４】
2007164673.tif 000006
【図５】
2007164673.tif 000007
【図６】
2007164673.tif 000008
【図７】
2007164673.tif 000009
【図８】
2007164673.tif 000010
【図９】
2007164673.tif 000011
【図１０】
2007164673.tif 000012
【図１１】
2007164673.tif 000013
【図１２】
2007164673.tif 000014
【図１３】
2007164673.tif 000015
【図１４】
2007164673.tif 000016
【図１５】
2007164673.tif 000017
【図１６】
2007164673.tif 000018
【図１７】
2007164673.tif 000019
【図１８】
2007164673.tif 000020